(57)【要約】      （修正有）【課題】幼児や低年齢の児童自身が学習道具に関心を持ち、容易に使用することを可能にする回転式表示具を提供する。【解決手段】選択肢が表示された状態から正誤が表示された状態に切り換える際に、回転式表示具１のレバー４５を把持し、第１の可動表示部３１及び第２の可動表示部３３を回転させる。これにより、選択肢が表示された状態から正誤が表示された状態に切り換えることができるので、幼児や低年齢の児童が回転式表示具を容易に使用することができる。【選択図】図６
0003232638.tif 000002
【実用新案登録請求の範囲】
【請求項１】
２枚一組のシートを組み合わせて形成される回転式表示具であって、
第１の固定表示部と、第２の固定表示部と、前記第１の固定表示部と前記第２の固定表示部とを連結する連結片とを有する第１シートと、
第１の可動表示部と、第２の可動表示部と、前記第１の可動表示部と前記第２の可動表示部とを連結する連結片とを有する第２シートと、を備え、
前記第１の固定表示部及び前記第２の固定表示部は、その中心から外側方向に延びる切込み部が形成され、該切込み部によって分けられた第１半部及び第２半部を有し、
前記第１の可動表示部及び前記第２の可動表示部は、その中心から外側方向に延びる切込み部が形成され、該切込み部によって分けられた第１の半部及び第２の半部を有し、
前記切込み部のそれぞれを互いに係合させた際、前記第１の固定表示部の前記第１半部と前記第２半部との間には、前記第２の固定表示部、前記第２の可動表示部及び前記第１の可動表示部が配置され、
前記第２の固定表示部の前記第１半部と前記第２半部との間には、前記第２の可動表示部、前記第１の可動表示部及び前記第１の固定表示部が配置され、
前記第１の可動表示部の前記第１の半部と前記第２の半部との間には、前記第１の固定表示部、前記第２の固定表示部及び前記第２の可動表示部が配置され、
前記第２の可動表示部の前記第１の半部と前記第２の半部との間には、前記第１の可動表示部、前記第１の固定表示部及び前記第２の固定表示部が配置されていることを特徴とする回転式表示具。
【請求項２】
２枚一組のシートを組み合わせて形成される回転式表示具であって、
第１の固定表示部と、第２の固定表示部と、前記第１の固定表示部と前記第２の固定表示部とを連結する連結片とを有する第１シートと、
第１の可動表示部と、第２の可動表示部と、前記第１の可動表示部と前記第２の可動表示部とを連結する連結片とを有する第２シートと、を備え、
前記第１の固定表示部及び前記第２の固定表示部は、その中心から外側方向に延びる切込み部が形成され、該切込み部によって分けられた第１半部及び第２半部を有し、
前記第１の可動表示部及び前記第２の可動表示部は、その中心から外側方向に延びる切込み部が形成され、該切込み部によって分けられた第１の半部及び第２の半部を有し、
前記切込み部のそれぞれを互いに係合する際に、前記第１の可動表示部を前記第１の固定表示部上に重ね、前記第１の可動表示部と前記第２の可動表示部とを連結する連結片を折れ線に沿って折り畳み、前記１の回転表示部と前記第２の可動表示部とで前記第１の固定表示部を挟み、
前記第２の可動表示部の第２の半部を前記第１の可動表示部の前記切込み部及び前記第１の固定表示部の前記切込み部に挿入して、前記第２の可動表示部の第２の半部を前記第１の可動表示部の前記第２の半部上に重ね、
前記第１の固定表示部と前記第２の固定表示部とを連結する連結片を折れ線に沿って折り畳み、前記第２の固定表示部の前記第２半部を前記第２の可動表示部の前記第２の半部と前記第１の可動表示部の前記第２の半部との間に挿入し、
前記第１の固定表示部の切込み部を前記第１の可動表示部の前記切込み部及び前記第１の固定表示部の前記切込み部に係合することを特徴とする回転式表示具。
【請求項３】
２枚一組の前記シートは、紙製であることを特徴とする請求項１又は２に記載の回転式表示具。
【請求項４】
前記第１の固定表示部、前記第２の固定表示部、前記第１の可動表示部及び前記第２の可動表示部は、円形状であることを特徴とする請求項１〜３のいずれか１項に記載の回転式表示具。
【考案の詳細な説明】
【技術分野】
【０００１】
本考案は、２枚一組のシートを組み合わせて形成される回転式表示具に関するものである。
【背景技術】
【０００２】
従来、幼児や低年齢の児童に対して、絵本、ブロック等の学習道具を用いて、視覚、触覚、聴覚を刺激して、知識を豊かにし、知能を高める知育学習が行われている（例えば、特許文献１参照）。
【先行技術文献】
【特許文献】
【０００３】
【特許文献１】特開２００５−１９５６２７号公報
【考案の概要】
【考案が解決しようとする課題】
【０００４】
ところで、上述のような学習道具は、幼児や低年齢の児童自身が使用して、学習を行っているため、幼児や低年齢の児童が容易に使用することができるようにすることが望まれている。また、幼児や低年齢の児童自身が能動的に行動できるような要素が学習道具に備わっていないと、学習道具への関心が失われることがあるので、学習道具に関心を持たせるように工夫することが望まれている。
【０００５】
本考案は、上記の点に鑑みてなされたものであり、幼児や低年齢の児童に関心を持たせつつ、容易に使用することができる回転式表示具を提供することを目的とする。
【課題を解決するための手段】
【０００６】
上記の課題を解決するために、請求項１に係る考案は、２枚一組のシートを組み合わせて形成される回転式表示具であって、第１の固定表示部と、第２の固定表示部と、前記第１の固定表示部と前記第２の固定表示部とを連結する連結片とを有する第１シートと、第１の可動表示部と、第２の可動表示部と、前記第１の可動表示部と前記第２の可動表示部とを連結する連結片とを有する第２シートと、を備え、前記第１の固定表示部及び前記第２の固定表示部は、その中心から外側方向に延びる切込み部が形成され、該切込み部によって分けられた第１半部及び第２半部を有し、前記第１の可動表示部及び前記第２の可動表示部は、その中心から外側方向に延びる切込み部が形成され、該切込み部によって分けられた第１の半部及び第２の半部を有し、前記切込み部のそれぞれを互いに係合させた際、前記第１の固定表示部の前記第１半部と前記第２半部との間には、前記第２の固定表示部、前記第２の可動表示部及び前記第１の可動表示部が配置され、前記第２の固定表示部の前記第１半部と前記第２半部との間には、前記第２の可動表示部、前記第１の可動表示部及び前記第１の固定表示部が配置され、前記第１の可動表示部の前記第１の半部と前記第２の半部との間には、前記第１の固定表示部、前記第２の固定表示部及び前記第２の可動表示部が配置され、前記第２の可動表示部の前記第１の半部と前記第２の半部との間には、前記第１の可動表示部、前記第１の固定表示部及び前記第２の固定表示部が配置されていることを特徴とするものである。
請求項２に係る考案は、２枚一組のシートを組み合わせて形成される回転式表示具であって、第１の固定表示部と、第２の固定表示部と、前記第１の固定表示部と前記第２の固定表示部とを連結する連結片とを有する第１シートと、第１の可動表示部と、第２の可動表示部と、前記第１の可動表示部と前記第２の可動表示部とを連結する連結片とを有する第２シートと、を備え、前記第１の固定表示部及び前記第２の固定表示部は、その中心から外側方向に延びる切込み部が形成され、該切込み部によって分けられた第１半部及び第２半部を有し、前記第１の可動表示部及び前記第２の可動表示部は、その中心から外側方向に延びる切込み部が形成され、該切込み部によって分けられた第１の半部及び第２の半部を有し、前記切込み部のそれぞれを互いに係合する際に、前記第１の可動表示部を前記第１の固定表示部上に重ね、前記第１の可動表示部と前記第２の可動表示部とを連結する連結片を折れ線に沿って折り畳み、前記１の回転表示部と前記第２の可動表示部とで前記第１の固定表示部を挟み、前記第２の可動表示部の第２の半部を前記第１の可動表示部の前記切込み部及び前記第１の固定表示部の前記切込み部に挿入して、前記第２の可動表示部の第２の半部を前記第１の可動表示部の前記第２の半部上に重ね、前記第１の固定表示部と前記第２の固定表示部とを連結する連結片を折れ線に沿って折り畳み、前記第２の固定表示部の前記第２半部を前記第２の可動表示部の前記第２の半部と前記第１の可動表示部の前記第２の半部との間に挿入し、前記第１の固定表示部の切込み部を前記第１の可動表示部の前記切込み部及び前記第１の固定表示部の前記切込み部に係合することを特徴とするものである。
請求項３に係る考案は、２枚一組の前記シートは、紙製であることを特徴とするものである。
請求項４に係る考案は、前記第１の固定表示部、前記第２の固定表示部、前記第１の可動表示部及び前記第２の可動表示部は、円形状であることを特徴とするものである。
【考案の効果】
【０００７】
本願考案の回転式表示具によれば、幼児や低年齢の児童に関心を持たせることができ、かつ、容易に使用することができる。
【図面の簡単な説明】
【０００８】
【図１】本考案の一実施形態に係る回転式表示具を示す正面図ある。
【図２】図１に示す回転式表示具の背面図ある。
【図３】図１に示す回転式表示具の第１シートの展開図である。
【図４】図１に示す回転式表示具の第２シートの展開図である。
【図５】図１に示す回転式表示具の組立図である。
【図６】図１に示す回転式表示具の動作図である。
【考案を実施するための形態】
【０００９】
以下、本考案の一実施形態に係る回転式表示具の構成を図１〜図４に基づいて詳細に説明する。
回転式表示具１は、幼児や低年齢の児童に対する学習道具であり、本実施形態では、正誤問題に対する選択肢が表示された部分と、その選択肢に対する正誤が表示された部分とを切り換え、幼児や低年齢の児童の学習を手助けするための学習道具である。回転式表示具１は、２枚一組の紙製のシートＳ１，Ｓ２（図３及び図４参照）から構成され、２枚一組の紙製のシートＳ１，Ｓ２を組み立てて形成される（図１及び図２参照）。
【００１０】
図３に示すように、紙製の第１シートＳ１は、第１の固定表示部１１と、第２の固定表示部１３と、連結片１５とを備える。第１の固定表示部１１と第２の固定表示部１３とは、連結片１５によって、互いに連結される。第１の固定表示部１１は、長方形状の表示部１１ａと、円形状の表示部１１ｂとが接合して成り、長方形状の表示部１１ａに正誤問題の文章が記載（印刷）される。第２の固定表示部１３は、第１の固定表示部１１の円形状の表示部１１ｂと略同一形状である円形状を呈している。円形状の表示部１１ｂと第２の固定表示部１３とには、それらの中心から外側方向（すなわち、半径方向）に延びる切込み部１７，１９が形成されている。具体的には、円形状の表示部１１ｂに形成された切込み部１７は、円形状の表示部１１ｂの中心から、図３の紙面左斜下方に向かって延びている。第２の固定表示部１３に形成された切込み部１９は、第２の固定表示部１３の中心から、図３の紙面左斜下方に向かって延びている。円形状の表示部１１ｂは、切込み部１７によって分けられた、第１半部２１ａ及び第２半部２１ｂを有する。第２の固定表示部１３は、切込み部１９によって分けられた、第１半部２３ａ及び第２半部２３ｂを有する。なお、図３及び図６（ｂ）に示すように、円形状の表示部１１ｂの第１半部２１ａの表面及び第２の固定表示部１３の第２半部２３ｂの裏面には、選択肢に対する正誤が記載（印刷）される。
【００１１】
図４に示すように、紙製の第２シートＳ２は、第１の可動表示部３１と、第２の可動表示部３３と、連結片３５とを備える。第１の可動表示部３１と第２の可動表示部３３とは、連結片３５によって、互いに連結される。第１の可動表示部３１は、円形状を呈する。第２の可動表示部３３は、第１の可動表示部３１と同一形状である円形状を呈している。第１の可動表示部３１と第２の可動表示部３３とには、それらの中心から外側方向（すなわち、半径方向）に延びる切込み部３７，３９が形成されている。具体的には、切込み部３７は、第１の可動表示部３１の中心から、図４の紙面左斜下方に向かって延びている。切込み部３９は、第２の可動表示部３３の中心から、図４の紙面右斜下方に向かって延びている。第１の可動表示部３１は、切込み部３７によって分けられた、第１の半部４１ａ及び第２の半部４１ｂを有する。第２の可動表示部３３は、切込み部３９によって分けられた、第１の半部４３ａ及び第２の半部４３ｂを有する。なお、図４及び図６（ａ）に示すように、第１の可動表示部３１の第１の半部４１ａの表面及び第２の可動表示部３３の第２の半部４３ｂの裏面には、正誤問題に対する選択肢が記載（印刷）される。
【００１２】
次に、第１シートＳ１と第２シートＳ２とを組立て、回転式表示具１を形成する方法について、図５に基づいて説明する。
まず、第１の可動表示部３１の切込み部３７と第２の固定表示部１３の切込み部１７とが重なり合うように、第１の可動表示部３１を第１の固定表示部１１の円形状の表示部１１ｂ上に重ねる（図５（ａ）参照）。そして、第１の可動表示部３１と第２の可動表示部３３とを連結する連結片３５を折れ線３５ａに沿って折り畳み（図５（ｂ）の矢印参照）、第１の可動表示部３１と第２の可動表示部３３とで円形状の表示部１１ｂを挟む（図５（ｂ）参照）。そして、第２の可動表示部３３の第２の半部４３ｂを第１の可動表示部３１及び第１の固定表示部１１の切込み部３７，１７に挿入し（図５（ｃ）参照）、第２の可動表示部３３の切込み部３９と、第１の可動表示部３１及び第１の固定表示部１１の切込み部３７，１７とを係合させ、第２の可動表示部３３の第２の半部４３ｂを第１の可動表示部３１の第２の半部４１ｂ上に重ねる（図５（ｄ）参照）。その後、第１の固定表示部１１と第２の固定表示部１３とを連結する連結片１５を折れ線１５ａ（図５（ｄ）参照）に沿って折り畳み（図５（ｅ）の矢印参照）、第１の可動表示部３１の第２の半部４１ｂと第２の可動表示部３３の第２の半部４３ｂとの間に第２の固定表示部１３の第２半部２３ｂを挿入し（図５（ｅ）参照）、第２の固定表示部１３の切込み部１９を第１の可動表示部３１及び第１の固定表示部１１の切込み部３７，１７に係合させる（図５（ｆ）参照）。その結果、回転式表示具１が形成される。なお、第１の可動表示部３１と第２の可動表示部３３とを連結する連結片３５は、折畳まれた状態で、第１の可動表示部３１及び第２の可動表示部３３を回転させるためのレバー４５として構成される。また、第１の固定表示部１１と第２の固定表示部１３とを連結する連結片１５は、折畳まれた状態で、第１の可動表示部３１及び第２の可動表示部３３の回転を止めるストッパー４７として構成される。
【００１３】
ここで、第１シートＳ１と第２シートＳ２とを組立て、回転式表示具１を形成した状態（各切込み部１７，１９，３７，３９が係合した状態）において、第１の固定表示部１１の円形状の表示部１１ｂの第１半部２１ａと第２半部２１ｂとの間には、第２の固定表示部１３、第２の可動表示部３３及び第１の可動表示部３１が配置される。また、第２の固定表示部１３の第１半部２３ａと第２半部２３ｂとの間には、第２の可動表示部３３、第１の可動表示部３１及び円形状の表示部１１ｂが配置される。さらに、第１の可動表示部３１の第１の半部４１ａと第２の半部４１ｂとの間には、円形状の表示部１１ｂ、第２の固定表示部１３及び第２の可動表示部３３が配置される。第２の可動表示部３３の第１の半部４３ａと第２の半部４３ｂとの間には、第１の可動表示部３１、円形状の表示部１１ｂ及び第２の固定表示部１３が配置される。
【００１４】
次に、回転式表示具１の動作について、図１及び図６に基づいて説明する。
まず、図６（ａ）に示すように、レバー４５を把持し、各切込み部１７，１９，３７，３９の係合点Ｃ（円形状の表示部１１ｂ、第２の固定表示部１３、第１の可動表示部３１及び第２の可動表示部３３の中心）を支点に、第１の可動表示部３１及び第２の可動表示部３３を時計回り（図６（ａ）の矢印参照）に回転させる。このとき、図６（ａ）に示すように、第１の可動表示部３１の第１の半部４１ａは、第２の固定表示部１３の第２半部２３ｂの裏側を通り、第２の可動表示部３３の第２の半部４３ｂは、第１の固定表示部１１の円形状の表示部１１ｂの第１半部２１ａの裏側を通る。そして、第１の可動表示部３１及び第２の可動表示部３３が回転し終えると（すなわち、レバー４５がストッパー４７に当接する位置まで回転させると）、円形状の表示部１１ｂの第１半部２１ａ及び第２の固定表示部１３の第２半部２３ｂが現れ、円形状の表示部１１ｂの第１半部２１ａ及び第２の固定表示部１３の第２半部２３ｂによって、第１の可動表示部３１の第１の半部４１ａ及び第２の可動表示部３３の第２の半部４３ｂが覆われる。その結果、第１の可動表示部３１の第１の半部４１ａ及び第２の可動表示部３３の第２の半部４３ｂに記載された選択肢が表示された状態（図１参照）から円形状の表示部１１ｂの第１半部２１ａ及び第２の固定表示部１３の第２半部２３ｂに記載された正誤が表示された状態（図６（ｂ）参照）に切り換えられる。
【００１５】
一方、正誤が表示された状態から選択肢が表示された状態に切り換える場合、レバー４５を把持し、第１の可動表示部３１及び第２の可動表示部３３を反時計回りに回転させる。これにより、隠れていた第１の可動表示部３１の第１の半部４１ａ及び第２の可動表示部３３の第２の半部４３ｂが現れ、第１の可動表示部３１の第１の半部４１ａ及び第２の可動表示部３３の第２の半部４３ｂによって、円形状の表示部１１ｂの第１半部２１ａ及び第２の固定表示部１３の第２半部２３ｂが覆われる（図１参照）。その結果、第１の可動表示部３１の第１の半部４１ａ及び第２の可動表示部３３の第２の半部４３ｂに記載された選択肢が表示される。
【００１６】
なお、第１の固定表示部１１及び第２の固定表示部１３には、選択肢に対する正誤が記載（印刷）され、第１の可動表示部３１及び第２の可動表示部３３には、正誤問題に対する選択肢が記載（印刷）されているが、例えば、絵等の他の情報であってもよい。
【００１７】
以上、本実施形態に係る回転式表示具１によれば、次のような作用効果を得ることができる。
レバー４５を把持し、第１の可動表示部３１及び第２の可動表示部３３を回転させることにより、選択肢が表示された状態と正誤が表示された状態とに適宜切り換えることができるので、幼児や低年齢の児童が容易に使用することができる。
【００１８】
また、回転式表示具１は、選択肢が表示された状態と正誤が表示された状態とに変化させることができるので、視覚的な要素が備わり、幼児や低年齢の児童に対して、回転式表示具１に関心を持たせやすくすることができる。
【００１９】
回転式表示具１は、２枚一組の紙製のシートＳ１，Ｓ２を組み合わせて形成されるので、コストを抑えると共に、環境保護に資することができる。
【００２０】
なお、本実施形態に係る回転式表示具１において、第１の固定表示部１１（円形状の表示部１１ｂ）及び第２の固定表示部１３と、第１の可動表示部３１及び第２の可動表示部３３とは、円形状であるが、四角、六角等の他の形状であってもよい。
【００２１】
回転式表示具１において、２枚一組のシートＳ１，Ｓ２は、紙製であるが、プラステック等の他の材質のシートとしてもよい。
【符号の説明】
【００２２】
１…回転式表示具、１１…第１の固定表示部、１３…第２の固定表示具、１５…連結片、１７…切込み部、１９…切込み部、２１ａ…第１半部、２１ｂ…第２半部、２３ａ…第１半部、２３ｂ…第２半部、３１…第１の可動表示部、３３…第２の可動表示部、３５…連結片、３７…切込み部、３９…切込み部、４１ａ…第１の半部、４１ｂ…第２の半部、４３ａ…第１の半部、４３ｂ…第２の半部
【図１】
0003232638.tif 000003
【図２】
0003232638.tif 000004
【図３】
0003232638.tif 000005
【図４】
0003232638.tif 000006
【図５】
0003232638.tif 000007
【図６】
0003232638.tif 000008
【手続補正書】
【提出日】令和3年4月16日(2021.4.16)
【手続補正１】
【補正対象書類名】実用新案登録請求の範囲
【補正対象項目名】全文
【補正方法】変更
【補正の内容】
【実用新案登録請求の範囲】
【請求項１】
２枚一組のシートを組み合わせて形成される回転式表示具であって、
第１の固定表示部と、第２の固定表示部と、前記第１の固定表示部と前記第２の固定表示部とを連結する連結片とを有する第１シートと、
第１の可動表示部と、第２の可動表示部と、前記第１の可動表示部と前記第２の可動表示部とを連結する連結片とを有する第２シートと、を備え、
前記第１の固定表示部及び前記第２の固定表示部は、その中心から外側方向に延びる切込み部が形成され、該切込み部によって分けられた第１半部及び第２半部を有し、
前記第１の可動表示部及び前記第２の可動表示部は、その中心から外側方向に延びる切込み部が形成され、該切込み部によって分けられた第１の半部及び第２の半部を有し、
前記切込み部のそれぞれを互いに係合させた際、前記第１の固定表示部の前記第１半部と前記第２半部との間には、前記第２の固定表示部、前記第２の可動表示部及び前記第１の可動表示部が配置され、
前記第２の固定表示部の前記第１半部と前記第２半部との間には、前記第２の可動表示部、前記第１の可動表示部及び前記第１の固定表示部が配置され、
前記第１の可動表示部の前記第１の半部と前記第２の半部との間には、前記第１の固定表示部、前記第２の固定表示部及び前記第２の可動表示部が配置され、
前記第２の可動表示部の前記第１の半部と前記第２の半部との間には、前記第１の可動表示部、前記第１の固定表示部及び前記第２の固定表示部が配置されていることを特徴とする回転式表示具。
【請求項２】
２枚一組のシートを組み合わせて形成される回転式表示具であって、
第１の固定表示部と、第２の固定表示部と、前記第１の固定表示部と前記第２の固定表示部とを連結する連結片とを有する第１シートと、
第１の可動表示部と、第２の可動表示部と、前記第１の可動表示部と前記第２の可動表示部とを連結する連結片とを有する第２シートと、を備え、
前記第１の固定表示部及び前記第２の固定表示部は、その中心から外側方向に延びる切込み部が形成され、該切込み部によって分けられた第１半部及び第２半部を有し、
前記第１の可動表示部及び前記第２の可動表示部は、その中心から外側方向に延びる切込み部が形成され、該切込み部によって分けられた第１の半部及び第２の半部を有し、
前記切込み部のそれぞれを互いに係合する際に、前記第１の可動表示部を前記第１の固定表示部上に重ね、前記第１の可動表示部と前記第２の可動表示部とを連結する連結片を折れ線に沿って折り畳み、前記第１の可動表示部と前記第２の可動表示部とで前記第１の固定表示部を挟み、
前記第２の可動表示部の第２の半部を前記第１の可動表示部の前記切込み部及び前記第１の固定表示部の前記切込み部に挿入して、前記第２の可動表示部の第２の半部を前記第１の可動表示部の前記第２の半部上に重ね、
前記第１の固定表示部と前記第２の固定表示部とを連結する連結片を折れ線に沿って折り畳み、前記第２の固定表示部の前記第２半部を前記第２の可動表示部の前記第２の半部と前記第１の可動表示部の前記第２の半部との間に挿入し、
前記第１の固定表示部の切込み部を前記第１の可動表示部の前記切込み部及び前記第１の固定表示部の前記切込み部に係合することを特徴とする回転式表示具。
【請求項３】
２枚一組の前記シートは、紙製であることを特徴とする請求項１又は２に記載の回転式表示具。
【請求項４】
前記第１の固定表示部、前記第２の固定表示部、前記第１の可動表示部及び前記第２の可動表示部は、円形状であることを特徴とする請求項１〜３のいずれか１項に記載の回転式表示具。
【手続補正２】
【補正対象書類名】明細書
【補正対象項目名】０００６
【補正方法】変更
【補正の内容】
【０００６】
上記の課題を解決するために、請求項１に係る考案は、２枚一組のシートを組み合わせて形成される回転式表示具であって、第１の固定表示部と、第２の固定表示部と、前記第１の固定表示部と前記第２の固定表示部とを連結する連結片とを有する第１シートと、第１の可動表示部と、第２の可動表示部と、前記第１の可動表示部と前記第２の可動表示部とを連結する連結片とを有する第２シートと、を備え、前記第１の固定表示部及び前記第２の固定表示部は、その中心から外側方向に延びる切込み部が形成され、該切込み部によって分けられた第１半部及び第２半部を有し、前記第１の可動表示部及び前記第２の可動表示部は、その中心から外側方向に延びる切込み部が形成され、該切込み部によって分けられた第１の半部及び第２の半部を有し、前記切込み部のそれぞれを互いに係合させた際、前記第１の固定表示部の前記第１半部と前記第２半部との間には、前記第２の固定表示部、前記第２の可動表示部及び前記第１の可動表示部が配置され、前記第２の固定表示部の前記第１半部と前記第２半部との間には、前記第２の可動表示部、前記第１の可動表示部及び前記第１の固定表示部が配置され、前記第１の可動表示部の前記第１の半部と前記第２の半部との間には、前記第１の固定表示部、前記第２の固定表示部及び前記第２の可動表示部が配置され、前記第２の可動表示部の前記第１の半部と前記第２の半部との間には、前記第１の可動表示部、前記第１の固定表示部及び前記第２の固定表示部が配置されていることを特徴とするものである。
請求項２に係る考案は、２枚一組のシートを組み合わせて形成される回転式表示具であって、第１の固定表示部と、第２の固定表示部と、前記第１の固定表示部と前記第２の固定表示部とを連結する連結片とを有する第１シートと、第１の可動表示部と、第２の可動表示部と、前記第１の可動表示部と前記第２の可動表示部とを連結する連結片とを有する第２シートと、を備え、前記第１の固定表示部及び前記第２の固定表示部は、その中心から外側方向に延びる切込み部が形成され、該切込み部によって分けられた第１半部及び第２半部を有し、前記第１の可動表示部及び前記第２の可動表示部は、その中心から外側方向に延びる切込み部が形成され、該切込み部によって分けられた第１の半部及び第２の半部を有し、前記切込み部のそれぞれを互いに係合する際に、前記第１の可動表示部を前記第１の固定表示部上に重ね、前記第１の可動表示部と前記第２の可動表示部とを連結する連結片を折れ線に沿って折り畳み、前記第１の可動表示部と前記第２の可動表示部とで前記第１の固定表示部を挟み、前記第２の可動表示部の第２の半部を前記第１の可動表示部の前記切込み部及び前記第１の固定表示部の前記切込み部に挿入して、前記第２の可動表示部の第２の半部を前記第１の可動表示部の前記第２の半部上に重ね、前記第１の固定表示部と前記第２の固定表示部とを連結する連結片を折れ線に沿って折り畳み、前記第２の固定表示部の前記第２半部を前記第２の可動表示部の前記第２の半部と前記第１の可動表示部の前記第２の半部との間に挿入し、前記第１の固定表示部の切込み部を前記第１の可動表示部の前記切込み部及び前記第１の固定表示部の前記切込み部に係合することを特徴とするものである。
請求項３に係る考案は、２枚一組の前記シートは、紙製であることを特徴とするものである。
請求項４に係る考案は、前記第１の固定表示部、前記第２の固定表示部、前記第１の可動表示部及び前記第２の可動表示部は、円形状であることを特徴とするものである。